(57)【要約】【課題】印刷装置に設定される設定値の既定値の変更を把握可能とする。【解決手段】設定値に応じた印刷を実行する印刷実行部と、設定値を変更可能な印刷設定変更部と、設定値の既定値を変更可能な既定値変更部と、設定値を既定値へ変更可能な既定値適用部と、既定値変更部により変更された既定値の履歴を保持する変更履歴保持部とを備える。【選択図】図２
2016168773.tif 000002
【特許請求の範囲】
【請求項１】
設定値に応じた印刷を実行する印刷実行部と、
前記設定値の既定値を変更可能な既定値変更部と、
前記設定値を前記既定値へ変更可能な既定値適用部と、
前記既定値変更部により変更された前記既定値の履歴を保持する変更履歴保持部と
を備える印刷装置。
【請求項２】
前記印刷実行部は、複数の前記設定値を設定可能であり、
前記既定値変更部は、前記既定値を前記設定値毎に変更可能であり、
前記既定値適用部は、全ての前記設定値を一括して対応する前記既定値に変更可能である請求項１に記載の印刷装置。
【請求項３】
前記既定値変更部は、一の前記設定値に対応する複数の前記既定値のそれぞれを変更可能であり、
前記既定値適用部は、前記設定値を対応する複数の前記既定値のうちの一の前記既定値に変更する請求項１または２に記載の印刷装置。
【請求項４】
前記変更履歴保持部は、複数の前記既定値のそれぞれについて変更された履歴を保持する請求項３に記載の印刷装置。
【請求項５】
前記設定値を変更可能な印刷設定変更部を備え、
前記印刷設定変更部は、前記変更履歴保持部が保持する履歴のうちから選択した前記既定値に前記設定値を変更可能である請求項１ないし４のいずれか一項に記載の印刷装置。
【請求項６】
前記変更履歴保持部は、前記既定値が変更された日時を示す日時情報を保持可能である請求項１ないし５のいずれか一項に記載の印刷装置。
【請求項７】
前記変更履歴保持部が履歴として保持する前記既定値のうち、現在の前記設定値と異なる前記既定値を表示可能な表示部を備える請求項１ないし６のいずれか一項に記載の印刷装置。
【請求項８】
前記変更履歴保持部が履歴として保持できる前記既定値の個数は有限である請求項１ないし７のいずれか一項に記載の印刷装置。
【請求項９】
前記変更履歴保持部から履歴として保持された前記既定値を消去する消去順序を設定可能な消去順設定部を備え、
前記変更履歴保持部は、前記消去順序に従って前記既定値を消去する請求項８に記載の印刷装置。
【請求項１０】
前記消去順序は、古い履歴の前記既定値から順に消去することを示す請求項９に記載の印刷装置。
【請求項１１】
前記変更履歴保持部は、前記既定値を変更したユーザーを認識する請求項９または１０に記載の印刷装置。
【請求項１２】
前記変更履歴保持部は、一のユーザーによる変更履歴として１つだけ前記既定値を保持しつつ他のユーザーによる変更履歴として複数の前記既定値を保持する状態から前記既定値を消去するにあたっては、一のユーザーによる変更履歴として保持する前記既定値を前記消去順序によらず残して、他のユーザーによる変更履歴として保持する前記既定値を消去する請求項１１に記載の印刷装置。
【請求項１３】
印刷装置に設定される設定値の既定値を変更可能な既定値変更部と、
前記設定値を前記既定値へ変更可能な既定値適用部と、
前記既定値変更部により変更された前記既定値の履歴を保持する変更履歴保持部と
を備える印刷制御装置。
【発明の詳細な説明】
【技術分野】
【０００１】
この発明は、設定値に応じて印刷を実行する印刷装置に対して当該設定値を変更する技術に関する。
【背景技術】
【０００２】
印刷装置は、例えば印刷濃度を制御するためのパラメーターといった設定値を変更可能であり、設定された設定値に応じて印刷を実行するものが一般的である。また、このような印刷装置は、設定値の初期値を記憶しており、設定値を適宜初期値に戻すことができる。さらに、特許文献１の印刷装置は、設定値の初期値をユーザーにより任意に変更することができる。
【先行技術文献】
【特許文献】
【０００３】
【特許文献１】特開２００６−２８５４７６号公報
【発明の概要】
【発明が解決しようとする課題】
【０００４】
ところで、既定値（初期値）を変更可能な印刷装置を複数のユーザーで共同使用するような場合、当該既定値を複数のユーザーが任意に変更できる。そのため、各ユーザーにしてみれば、他のユーザーにより知らない間に既定値が変更されたのを把握できず、所望の印刷を印刷装置で実行できない場合があった。
【０００５】
この発明は上記課題に鑑みてなされたものであり、印刷装置に設定される設定値の既定値の変更を把握可能とする技術の提供を目的とする。
【課題を解決するための手段】
【０００６】
本発明にかかる印刷装置は、上記目的を達成するために、設定値に応じた印刷を実行する印刷実行部と、設定値の既定値を変更可能な既定値変更部と、設定値を既定値へ変更可能な既定値適用部と、既定値変更部により変更された既定値の履歴を保持する変更履歴保持部とを備える。
【０００７】
本発明にかかる印刷制御装置は、上記目的を達成するために、印刷装置に設定される設定値の既定値を変更可能な既定値変更部と、設定値を既定値へ変更可能な既定値適用部と、既定値変更部により変更された既定値の履歴を保持する変更履歴保持部とを備える。
【０００８】
このように構成された本発明（印刷装置、印刷制御装置）では、変更された既定値の履歴が保持される。したがって、かかる履歴を参照することで、既定値の変更を把握することができる。
【０００９】
また、印刷実行部は、複数の設定値を設定可能であり、既定値変更部は、既定値を設定値毎に変更可能であり、既定値適用部は、全ての設定値を一括して対応する既定値に変更可能であるように、印刷装置を構成しても良い。これによって、全ての設定値に対して容易に既定値を適用できる。
【００１０】
また、既定値変更部は、一の設定値に対応する複数の既定値のそれぞれを変更可能であり、既定値適用部は、設定値を対応する複数の既定値のうちの一の既定値に変更するように、印刷装置を構成しても良い。このように一の設定値に対して複数の既定値を設けることで、例えば印刷対象物の種類やユーザーによって既定値を使い分けるといったことが可能になる。
【００１１】
また、変更履歴保持部は、複数の既定値のそれぞれについて変更された履歴を保持するように、印刷装置を構成しても良い。これによって、例えば印刷対象物の種類やユーザーによって既定値を使い分けつつ、各既定値の変更を把握することが可能となる。
【００１２】
また、印刷設定変更部は、記設定値を変更可能な印刷設定変更部を備え、変更履歴保持部が保持する履歴のうちから選択した既定値に設定値を変更可能であるように、印刷装置を構成しても良い。これによって、設定値を過去の既定値に変更することができ、既定値の変更を把握できるのみならず履歴として保持する既定値を有効活用できる。
【００１３】
また、変更履歴保持部は、既定値が変更された日時を示す日時情報を保持可能であるように、印刷装置を構成しても良い。かかる構成では、例えばユーザーは日時情報を参照することで、自身が既定値を変更した時からさらに既定値が変更されたかを把握できる。
【００１４】
また、変更履歴保持部が履歴として保持する既定値のうち、現在の設定値と異なる既定値を表示可能な表示部を備えるように、印刷装置を構成しても良い。これによって、現在の設定値と異なる既定値を履歴のうちから把握して、どの既定値が変更されたかを判断可能となる。
【００１５】
また、変更履歴保持部が履歴として保持できる既定値の個数は有限であるように、印刷装置を構成しても良い。かかる構成では、変更履歴保持部を構成するメモリー資源を節約できる。
【００１６】
また、変更履歴保持部から履歴として保持された既定値を消去する消去順序を設定可能な消去順設定部を備え、変更履歴保持部は、消去順序に従って既定値を消去するように、印刷装置を構成しても良い。かかる構成では、消去順序を付けて、既定値を消去することができる。
【００１７】
この際、消去順序は、古い履歴の既定値から順に消去することを示すものであっても良い。これによって、古い既定値から先に消去して、新たな既定値を残すことができる。
【００１８】
また、変更履歴保持部は、既定値を変更したユーザーを認識するように、印刷装置を構成しても良い。これによって、ユーザー毎に既定値の履歴を管理するといったことが可能となる。
【００１９】
また、変更履歴保持部は、一のユーザーによる変更履歴として１つだけ既定値を保持しつつ他のユーザーによる変更履歴として複数の既定値を保持する状態から既定値を消去するにあたっては、一のユーザーによる変更履歴として保持する既定値を消去順序によらず残して、他のユーザーによる変更履歴として保持する既定値を消去するように、印刷装置を構成しても良い。これによって、各ユーザーについて、少なくとも一つの既定値は履歴として残すことができる。
【図面の簡単な説明】
【００２０】
【図１】本発明を適用可能なプリンターが備える印刷エンジンの一例を示す図。
【図２】本発明を適用可能なプリンターが備える構成の一例を示すブロック図。
【図３】パラメーター現情報の一例を模式的に示す図。
【図４】パラメーター管理画面の一例を模式的に示す図。
【図５】パラメーター履歴情報の一例を模式的に示す図。
【図６】変形例にかかるパラメーター現情報の一例を模式的に示す図。
【図７】変形例にかかるパラメーター管理画面の一例を模式的に示す図。
【発明を実施するための形態】
【００２１】
図１は、本発明を適用可能なプリンターが備える印刷エンジンの一例を模式的に示す図である。図１のプリンター１は、例えば特開２０１３−９９７号公報等に記載のプリンターと同様の構成を具備する。つまり、プリンター１の印刷エンジン１０は、ロール・トゥ・ロールでメディアＭ（ウェブ）を間欠搬送する搬送部２と、間欠停止中のメディアＭの表面に印刷を実行するプロセス部３とを備える。
【００２２】
搬送部２は、ロール状に巻かれたメディアＭの一端を支持する繰出軸２１と、ロール状に巻かれたメディアＭの他端を支持する巻取軸２２とを有し、繰出軸２１がプロセス部３へ向けて繰り出したメディアＭを、巻取軸２２がプロセス部３から巻き取る。また、搬送部２は、繰出軸２１から巻取軸２２までの間に複数のローラーを有し、各ローラーによりメディアＭを支持する。かかる搬送部２は、メディアＭに所定のテンションを与えながら、メディアＭを繰出軸２１から巻取軸２２へと間欠搬送する。
【００２３】
プロセス部３は、プラテン３０、キャリッジ３２および吐出ヘッド３４を有する。プラテン３０は平板形状を有し、搬送部２により間欠搬送されるメディアＭを裏面側から支持する。キャリッジ３２は、主走査方向（図１の左右方向）および副走査方向（図１の奥行方向）の両方向に移動可能となっている。吐出ヘッド３４は、キャリッジ３２に取り付けられてキャリッジ３２とともに移動可能であり、インクジェット方式でインクを吐出する。そして、プロセス部３は、キャリッジ３２を主走査方向に移動させつつ吐出ヘッド３４からインクを吐出する動作（主走査）を、副走査方向にキャリッジ３２を変位させながら（副走査）、複数回実行する。こうして、プラテン３０上で間欠停止中のメディアＭにインクが吐出されて、メディアＭへの印刷が実行される。
【００２４】
ところで、例えば特開２０１２−１７８８００号公報等で説明されるように、メディアＭへの印刷を良好に行うためには、印刷エンジン１０に設定される各種の印刷パラメーターの設定値を適切に調整する必要がある。このような印刷パラメーターの調整について具体的に説明すると、例えば次のとおりである。
【００２５】
印刷エンジン１０では、プロセス部３が停止中のメディアＭへの印刷を完了すると、搬送部２が所定の紙送り量だけメディアＭを搬送する。これによって、メディアＭの印刷済みの部分がプロセス部３より下流側に搬出され、メディアＭの未印刷の部分がプロセス部３に搬入される。こうして搬入されたメディアＭの未印刷部分に対してプロセス部３による印刷が実行される。この際、紙送り量が適切でないと、紙送りの前後で印刷された各画像の境界に筋状のムラが生じるといった、いわゆるバンディングが発生するおそれがある。そこで、搬送部２では、紙送り量（印刷パラメーター）の設定値が可変に構成されている。
【００２６】
また、印刷エンジン１０では、吐出ヘッド３４から吐出されてメディアＭに着弾するまでのインクの飛翔時間が長いと、インクが飛翔中に受けた影響によりインクの着弾位置がずれてしまう。したがって、吐出ヘッド３４とメディアＭとの間隔は短い方が好ましい。一方、吐出ヘッド３４とメディアＭとが近接しすぎると、メディアＭのしわや埃等が吐出ヘッド３４に接触して、吐出ヘッド３４が損傷するおそれがある。このような事情から、吐出ヘッド３４とメディアＭとの間の距離には最適値が存在する。ただし、メディアＭの種類によってメディアＭの厚みは変わり得る。そこで、プロセス部３では、吐出ヘッド３４とプラテン３０との間隔であるプラテンギャップ（印刷パラメーター）の設定値が可変に構成されており、メディアＭの厚みに応じてプラテンギャップを調整することができる。
【００２７】
また、印刷エンジン１０では、弛みや破断を防止しつつメディアＭを搬送するためには、メディアＭに適切なテンションを与える必要がある。そこで、プロセス部３では、搬送部２がメディアＭに与えるテンション（印刷パラメーター）の設定値が可変に構成されている。
【００２８】
図２は、本発明を適用可能なプリンターが備える構成の一例を示すブロック図である。プリンター１は、上述の印刷エンジン１０の他に、制御部１００、インターフェース部１１０および記憶部１２０を備える。制御部１００は、ＣＰＵ(Central Processing Unit)およびＲＡＭ(Random
Access Memory)で構成されたコンピューターであり、プリンター１で実行される動作を統括的に制御する。したがって、印刷エンジン１０、インターフェース部１１０および記憶部１２０は、制御部１００の制御を受けて動作する。特に、制御部１００は所定のプログラムを実行することでパラメーター管理部２００を構築する。そして、パラメーター管理部２００を構成する設定変更部２１０、デフォルト適用部２２０およびデフォルト変更部２３０により印刷パラメーターを管理する。なお、印刷パラメーターの管理動作の詳細は後述する。
【００２９】
インターフェース部１１０は、外部装置あるいはユーザーとの間のインターフェース機能を担う。通信部１１１は外部装置との通信を実行する。操作部１１２は、ユーザーからの入力操作を受け付けるボタン等で構成される。また、表示部１１３は、プリンター１に関する各種情報をユーザーに表示するディスプレイ等で構成される。なお、ここでは、操作部１１２および表示部１１３はタッチパネルにより一体的に構成されているとして説明する。
【００３０】
記憶部１２０は、ＲＯＭ(Read Only Memory)、ＨＤＤ(Hard Disk Drive)あるいはＲＡＭといった記憶媒体で構成され、プリンター３に関する各種情報を記憶する。特に記憶部１２０にはパラメーター現情報Ｉｐおよびパラメーター履歴情報Ｉｈが記憶されている。そして、制御部１００のパラメーター管理部２００は、これらの情報Ｉｐ、Ｉｈを用いて印刷パラメーターの管理を行う。続いては、印刷パラメーターの管理動作について詳述する。
【００３１】
図３は、パラメーター現情報の一例を模式的に示す図である。上述したように、印刷エンジン１０では、紙送り量、プラテンギャップおよびテンションといった複数種類の印刷パラメーターが設定可能である。これに対応して、パラメーター現情報Ｉｐは、紙送り量、プラテンギャップおよびテンションそれぞれの現在の設定値である現設定値（Ｆ、Ｇ、Ｔ）と現在のデフォルト値である現デフォルト値（Ｆｏ、Ｇｏ、Ｔｏ）とを含む。そして、本実施形態では、印刷パラメーターの設定値Ｆ、Ｇ、Ｔや、これらのデフォルト値Ｆｏ、Ｇｏ、Ｔｏをパラメーター管理画面により適宜変更することができる。
【００３２】
図４は、パラメーター管理画面の一例を模式的に示す図である。このパラメーター管理画面３００は表示部１１３（タッチパネルの画面）に表示され、ユーザーは操作部１１２を操作（タッチパネルに接触）することで、設定値Ｆ、Ｇ、Ｔやデフォルト値Ｆｏ、Ｇｏ、Ｔｏを調整できる。このパラメーター管理画面３００には、紙送り量設定部３０１、プラテンギャップ設定部３０３およびテンション設定部３０５が設けられている。
【００３３】
紙送り量設定部３０１では、可変範囲表示バー３１１の範囲内でスライダー３１２を移動させることで、紙送り量の設定値Ｆを最小値ｍｉｎから最大値ｍａｘの範囲内で変更できる。同様に、プラテンギャップ設定部３０３およびテンション設定部３０５それぞれにおいてスライダー３１２を移動させることで、プラテンギャップの設定値Ｇおよびテンションの設定値Ｔを変更できる。そして、パラメーター管理画面３００の下方に設けられた設定ボタン３０７が押されると、設定変更部２１０は、パラメーター現情報Ｉｐの各設定値Ｆ、Ｇ、Ｔに、対応するスライダー３１２の位置に応じた値を設定する。かかる操作によって、パラメーター現情報Ｉｐの各設定値Ｆ、Ｇ、Ｔを適宜変更することができる。そして、制御部１００は、印刷エンジン１０の印刷パラメーターをパラメーター現情報Ｉｐの各設定値Ｆ、Ｇ、Ｔに調整して、各設定値Ｆ、Ｇ、Ｔに応じた印刷を実行する。
【００３４】
ちなみに、ユーザーにおいては、印刷パラメーターの設定値Ｆ、Ｇ、Ｔの変更作業の途中あるいは完了後に、これらの設定値Ｆ、Ｇ、Ｔをデフォルト値Ｆｏ、Ｇｏ、Ｔｏに戻したいと考える場合もある。そこで、各設定部３０１、３０３、３０５では初期化ボタン３１３が設けられている。つまり、初期化ボタン３１３が押されると、デフォルト適用部２２０は設定値Ｆ、Ｇ、Ｔをデフォルト値Ｆｏ、Ｇｏ、Ｔｏに戻す。ちなみに、初期化ボタン３１３は、印刷パラメーターの設定部３０１、３０３、３０５のそれぞれに設けられているため、デフォルト値に戻す操作は印刷パラメーター毎に個別に実行できる。例えば、紙送り量設定部３０１の初期化ボタン３１３を押すことで、紙送り量の設定値Ｆのみを選択的にデフォルト値Ｆｏに戻すことができる。
【００３５】
あるいは、パラメーター管理画面３００の下方に設けられた一括初期化ボタン３０８により一括して当該操作を行うこともできる。つまり、一括初期化ボタン３０８が押されると、デフォルト適用部２２０は、各印刷パラメーターの設定値Ｆ、Ｇ、Ｔを一括してそれぞれのデフォルト値Ｆｏ、Ｇｏ、Ｔｏに戻す。こうして、全設定値Ｆ、Ｇ、Ｔに対して容易にデフォルト値Ｆｏ、Ｇｏ、Ｔｏを適用することが可能となっている。
【００３６】
さらに、本実施形態では、各印刷パラメーターのデフォルト値Ｆｏ、Ｇｏ、Ｔｏを変更することができる。つまり、各設定部３０１、３０３、３０５ではデフォルト設定ボタン３１４が設けられている。そして、例えば紙送り量設定部３０１においてデフォルト設定ボタン３１４が押されると、デフォルト変更部２３０は、紙送り量設定部３０１のスライダー３１２の位置に応じた値を、紙送り量のデフォルト値Ｆｏとする。かかる操作によって、紙送り量のデフォルト値Ｆｏを適宜変更することができる。また、同様の操作により、プラテンギャップのデフォルト値Ｇｏおよびテンションのデフォルト値Ｔｏも適宜変更することができる。
【００３７】
ちなみに、デフォルト変更部２３０は、デフォルト値Ｆｏ、Ｇｏ、Ｔｏの変更に際してユーザーの権限を確認する。具体的には、デフォルト設定ボタン３１４が押されると、デフォルト変更部２３０は、ユーザーＩＤ(Identification)の入力画面を表示部１１３に表示し、操作部１１２により入力されたユーザーＩＤを取得する。そして、ユーザーＩＤに権限が与えられている場合にのみ、デフォルト変更部２３０はデフォルト値Ｆｏ、Ｇｏ、Ｔｏの変更を受け付ける。なお、ユーザーの権限の確認はかかる手法に限られず、例えばユーザーがプリンター１へログインする際に入力したユーザーＩＤに基づいても良い。
【００３８】
デフォルト変更部２３０は、このようなデフォルト値Ｆｏ、Ｔｏ、Ｇｏの変更の履歴を、パラメーター履歴情報Ｉｈとして記憶部１２０に記憶する。なお、パラメーター履歴情報Ｉｈは、デフォルト値Ｆｏ、Ｔｏ、Ｇｏのそれぞれについて（換言すれば、印刷パラメーター毎に）記憶部１２０に記憶される。また、設定部３０１、３０３、３０５のそれぞれには履歴表示ボタン３１５が設けられており、履歴表示ボタン３１５が押されると、デフォルト変更部２３０は、対応する印刷パラメーターのパラメーター履歴情報Ｉｈを表示部１１３に表示する。すなわち、例えば紙送り量設定部３０１の履歴表示ボタン３１５が押されると、紙送り量のデフォルト値Ｆｏの変更履歴を示すパラメーター履歴情報Ｉｈ（図５）が表示される。
【００３９】
図５は、パラメーター履歴情報の一例を模式的に示す図である。図５では、紙送り量のデフォルト値Ｆｏの変更履歴を示すパラメーター履歴情報Ｉｈが例示されているが、プラテンギャップおよびテンションについても同様である。そこで、ここでは紙送り量のデフォルト値Ｆｏで代表して説明を行う。同図に示すように、記憶部１２０においてパラメーター履歴情報Ｉｈを記憶する領域では、１０個の格納領域Ａ１〜Ａ１０が設けられており、格納領域Ａ１〜Ａ１０のそれぞれに１個のデフォルト値Ｆｏを格納可能である。このようにパラメーター履歴情報Ｉｈとして記憶部１２０に格納できるデフォルト値Ｆｏの個数を有限にすることで、記憶部１２０を構成するメモリー資源の節約を図っている。
【００４０】
格納領域Ａ１〜Ａ１０のそれぞれでは、デフォルト値Ｆｏが変更された日時ｔ１〜ｔ１０（年／月／日／時間／分／秒）と、変更後のデフォルト値Ｆｏ（１）〜Ｆｏ（１０）と、変更を行ったユーザーのＩＤとが関連付けられて格納されている。上述したように、デフォルト変更部２３０はデフォルト値Ｆｏ、Ｇｏ、Ｔｏを変更するユーザーを認識する。これによって、図５に示すように、デフォルト値Ｆｏの変更の履歴をユーザー毎に管理することが可能となっている。
【００４１】
なお、デフォルト値Ｆｏの格納領域Ａ１〜Ａ１０の個数が有限であるため、全格納領域Ａ１〜Ａ１０にデフォルト値Ｆｏが格納された状態で、デフォルト値Ｆｏが変更された場合には、デフォルト変更部２３０はデフォルト値Ｆｏの上書きを行う。かかる上書き操作は、１個のデフォルト値Ｆｏを消去し、消去されたデフォルト値Ｆｏが格納されていた格納領域に変更後のデフォルト値Ｆｏを格納する操作に等しい。
【００４２】
この際、デフォルト変更部２３０は、格納領域Ａ１〜Ａ１０に格納される１０個のデフォルト値Ｆｏのうちから、予め設定された消去順序に従って選んだ１個のデフォルト値Ｆｏを消去する。この消去順序は種々考えられるが、ここでは変更日時ｔ１〜ｔ１０が古いデフォルト値Ｆｏから順に時系列に従って消去する。したがって、例えば日時ｔ１〜ｔ１０のうち日時ｔ１が最先である（すなわち、最も古い）とすると、格納領域Ａ１のデフォルト値Ｆｏ（１）が消去されて、当該格納領域Ａ１に新たなデフォルト値Ｆｏ（１１）が格納される。これによって、古い履歴のデフォルト値Ｆｏから先に消去して新たなデフォルト値Ｆｏを残すことができる。
【００４３】
以上に説明したように本実施形態では、デフォルト値Ｆｏ、Ｇｏ、Ｔｏの変更の履歴がパラメーター履歴情報Ｉｈとして保持される。したがって、パラメーター履歴情報Ｉｈを参照することで、デフォルト値Ｆｏ、Ｇｏ、Ｔｏの変更を把握することが可能となっている。
【００４４】
また、デフォルト変更部２３０は、デフォルト値Ｆｏ、Ｇｏ、Ｔｏの変更日時ｔ１〜ｔ１０を含むパラメーター履歴情報Ｉｈを記憶部１２０に記憶する。したがって、例えばユーザーはパラメーター履歴情報Ｉｈの日時ｔ１〜ｔ１０を参照することで、自身がデフォルト値Ｆｏ、Ｇｏ、Ｔｏを変更した時からさらにデフォルト値Ｆｏ、Ｇｏ、Ｔｏが変更されたかを把握できる。
【００４５】
このように本実施形態では、プリンター１が本発明の「印刷装置」の一例に相当し、印刷エンジン１０が本発明の「印刷実行部」の一例に相当し、設定変更部２１０が本発明の「印刷設定変更部」の一例に相当し、デフォルト変更部２３０が本発明の「既定値変更部」の一例に相当し、デフォルト適用部２２０が本発明の「既定値適用部」あるいは「消去順設定部」の一例に相当し、デフォルト変更部２３０と記憶部１２０が協働して本発明の「変更履歴保持部」の一例として機能し、パラメーター管理部２００が本発明の「印刷制御装置」の一例に相当し、設定値Ｆ、Ｇ、Ｔが本発明の「設定値」の一例に相当し、デフォルト値Ｆｏ、Ｇｏ、Ｔｏが本発明の「既定値」の一例に相当する。
【００４６】
なお、本発明は上記実施形態に限定されるものではなく、その趣旨を逸脱しない限りにおいて上述したものに対して種々の変更を加えることが可能である。具体的には、以下に例示するような変形を適宜行うことが可能である。
【００４７】
例えば、設定変更部２１０は、記憶部１２０に記憶されるパラメーター履歴情報Ｉｈのうちから選択したデフォルト値Ｆｏ、Ｇｏ、Ｔｏに、設定値Ｆ、Ｇ、Ｔを変更できるように構成しても良い。具体的に説明すると、上述の通り、紙送り量設定部３０１において履歴表示ボタン３１５が押されると、図５に示した紙送り量のデフォルト値Ｆｏのパラメーター履歴情報Ｉｈが表示部１１３に表示される。このパラメーター履歴情報Ｉｈは、これまでのデフォルト値Ｆｏ（１）〜Ｆｏ（１０）の一覧を示すものである。そして、操作部１１２への操作（タッチパネルへの接触）により、デフォルト値Ｆｏ（１）〜Ｆｏ（１０）のうちから１個のデフォルト値Ｆｏが選択されると、設定変更部２１０は、パラメーター現情報Ｉｐの紙送り量の設定値Ｆを、選択されたデフォルト値Ｆｏに変更する。かかる構成では、設定値Ｆを過去のデフォルト値Ｆｏに変更することができる。そのため、デフォルト値Ｆｏの変更の履歴を把握できるのみならず、履歴として記憶されたデフォルト値Ｆｏを有効活用できる。
【００４８】
また、記憶部１２０のパラメーター履歴情報Ｉｈに記録されるデフォルト値Ｆｏ、Ｇｏ、Ｔｏのうち、現在の設定値Ｆ、Ｇ、Ｔと異なるデフォルト値Ｆｏ、Ｇｏ、Ｔｏを、他のデフォルト値Ｆｏ、Ｇｏ、Ｔｏと態様を変えて表示部１１３に表示するように構成しても良い。具体的に図５の例で説明すると、パラメーター履歴情報Ｉｈに示すデフォルト値Ｆｏの一覧のうち、現在の設定値Ｆと異なるデフォルト値Ｆｏを、現在の設定値Ｆと同一のデフォルト値Ｆｏと態様を異ならせて（例えば、カラー、太字、斜体あるいは下線付き等で）、表示部１１３に表示する。これによって、現在の設定値Ｆと異なるデフォルト値Ｆｏをパラメーター履歴情報Ｉｈのうちから把握して、どのデフォルト値Ｆｏが変更されたかを判断可能となる。
【００４９】
また、パラメーター履歴情報Ｉｈからデフォルト値Ｆｏ、Ｇｏ、Ｔｏを消去する順序についても、種々の変形が可能である。そこで、各ユーザーについて少なくとも１つのデフォルト値Ｆｏ、Ｇｏ、Ｔｏを、パラメーター履歴情報Ｉｈに残すように構成しても良い。つまり、図５に示す例では、最先のデフォルト値Ｆｏ（１）が消去されると、ユーザーＩＤ１のユーザーの変更にかかるデフォルト値Ｆｏがパラメーター履歴情報Ｉｈから無くなる。一方、図５に示すパラメーター履歴情報Ｉｈは、ユーザーＩＤ１のユーザーによる変更履歴として１つだけデフォルト値Ｆｏ（１）を記録しつつ、他のユーザーＩＤ２〜ＩＤ４による変更履歴としてはそれぞれ複数のデフォルト値Ｆｏを記録している。そこで、ここで説明する変形例では、ユーザーＩＤ１のユーザーによる変更履歴として保持するデフォルト値Ｆｏ（１）を消去順序によらず残して、他のユーザーＩＤ２〜ＩＤ４のユーザーによる変更履歴として保持するデフォルト値Ｆｏを消去してもよい。具体的には、他のユーザーＩＤ２〜ＩＤ４のユーザーによる変更履歴のうち、最先のデフォルト値Ｆｏ（２）を消去してもよい。
【００５０】
また、上記実施形態では、１つの設定値に対して１つのデフォルト値が設けられていた。しかしながら、１つの設定値に対して複数のデフォルト値を設けるように構成しても良い。ここで、図６は、変形例にかかるパラメーター現情報の一例を模式的に示す図である。同図に示すように、この変形例では、各設定値に対して２個のデフォルト値（第１およびデフォルト値）が設けられており、例えば紙送り量の設定値Ｆに対して第１・第２デフォルト値Ｆａ、Ｆｂが設けられている。これによって、例えばメディアＭの種類やユーザーによって、第１・第２デフォルト値Ｆａ、Ｆｂを使い分けるといったことが可能となる。そして、この変形例においても、印刷パラメーターの設定値Ｆ、Ｇ、Ｔや、これらのデフォルト値Ｆａ、Ｆｂ、Ｇａ、Ｇｂ、Ｔａ、Ｔｂをパラメーター管理画面により適宜変更することができる。
【００５１】
図７は、変形例にかかるパラメーター管理画面の一例を模式的に示す図である。なお、ここでは上記実施形態との差異点を中心に説明することとし、共通点については相当符号を付して適宜説明を省略する。なお、上記実施形態と共通する構成を具備することで、同様の効果が奏されることは言うまでもない。この変形例では、１つの設定値に対して２個のデフォルト値が設けられたことに対応して、設定部３０１、３０３、３０５のそれぞれでは、２個の初期化ボタン３１３ａ、３１３ｂと２個のデフォルト設定ボタン３１４ａ、３１４ｂとが設けられている。
【００５２】
これらの機能について、紙送り量設定部３０１で代表して説明する。つまり、初期化ボタン３１３ａが押されると、デフォルト適用部２２０は、紙送り量の設定値Ｆを第１デフォルト値Ｆａに戻す。一方、初期化ボタン３１３ｂが押されると、デフォルト適用部２２０は、紙送り量の設定値Ｆを第２デフォルト値Ｆｂに戻す。あるいは、デフォルト設定ボタン３１４ａが押されると、デフォルト変更部２３０は、スライダー３１２の位置に応じた値を、第１デフォルト値Ｆａとする。一方、デフォルト設定ボタン３１４ｂが押されると、デフォルト変更部２３０は、スライダー３１２の位置に応じた値を、第２デフォルト値Ｆｂとする。
【００５３】
そして、この変形例では、第１および第２デフォルト値Ｆａ、Ｆｂそれぞれの変更の履歴がパラメーター履歴情報Ｉｈとして記憶部１２０に記憶される。なお、パラメーター履歴情報Ｉｈは第１および第２デフォルト値Ｆａ、Ｆｂそれぞれについて記憶され、換言すれば図５に示したリストが第１および第２デフォルト値Ｆａ、Ｆｂそれぞれについて作成・記憶される。
【００５４】
つまり、この変形例では、紙送り量の設定値Ｆを第１および第２デフォルト値Ｆａ、Ｆｂのいずれかに戻したり、紙送り量の第１および第２デフォルト値Ｆａ、Ｆｂのそれぞれを個別に変更したりすることができる。また、紙送り量の第１および第２デフォルト値Ｆａ、Ｆｂの変更履歴がパラメーター履歴情報Ｉｈとして記憶される。そして、これらと同様の操作は、プラテンギャップおよびテンションについても実行できる。
【００５５】
以上のように、この変形例においても、デフォルト値Ｆａ、Ｆｂ、Ｇａ、Ｇｂ、Ｔａ、Ｔｂの変更の履歴がパラメーター履歴情報Ｉｈとして保持される。したがって、パラメーター履歴情報Ｉｈを参照することで、デフォルト値Ｆａ、Ｆｂ、Ｇａ、Ｇｂ、Ｔａ、Ｔｂの変更を把握することが可能となっている。
【００５６】
特に、記憶部１２０では、第１・第２デフォルト値のそれぞれについて、変更履歴を記憶する。これによって、例えばメディアＭの種類やユーザーによって第１・第２デフォルト値を使い分けつつ、各デフォルト値の変更を把握することが可能となる。
【００５７】
また、ここで例示した変形以外にも種々の変形が可能である。例えば上記の実施形態では、本発明の「印刷制御装置」の一例に相当するパラメーター管理部２００がプリンター１に内蔵されていた。しかしながら、プリンター１とは別に設けられたコンピューターにパラメーター管理部２００を構築して、当該コンピューターを本発明の「印刷制御装置」の一例として機能させても良い。
【００５８】
また、上記実施形態では、印刷パラメーターの例として紙送り量、プラテンギャップおよびテンションが示されていた。しかしながら、これらの印刷パラメーターの全てについて上述の調整ができるように構成する必要はない。また、これらと異なる印刷パラメーター（解像度、モノクロ印刷、カラー印刷等）について上述の調整ができるように構成しても良い。
【００５９】
また、パラメーター履歴情報Ｉｈにおいてデフォルト値を格納するための格納領域の個数は１０個に限られず、１０個以外であっても良い。
【００６０】
また、デフォルト値の変更にあたりユーザーの権限を確認する必要も必ずしもない。そこで、ユーザーの権限を確認することなく、デフォルト値の変更を受け付けるように構成しても良い。
【００６１】
また、操作部１１２および表示部１１３はタッチパネルにより一体的に構成されている必要もない。そこで、例えばキーボードやマウスで操作部１１２を構成しつつ、液晶ディスプレイで表示部１１３を構成しても良い。
【符号の説明】
【００６２】
１…プリンター、１０…印刷エンジン、１２０…記憶部、２００…パラメーター管理部、２１０…設定変更部、２２０…デフォルト適用部、２３０…デフォルト変更部、Ｆ，Ｇ，Ｔ…設定値、Ｆｏ，Ｇｏ，Ｔｏ…デフォルト値
【図１】
2016168773.tif 000003
【図２】
2016168773.tif 000004
【図３】
2016168773.tif 000005
【図４】
2016168773.tif 000006
【図５】
2016168773.tif 000007
【図６】
2016168773.tif 000008
【図７】
2016168773.tif 000009